(57)【要約】      （修正有）【課題】比較的安価で、しかも、簡単な構成でカバーをケース本体に係止させることができる係止構造を提供する。【解決手段】ポリエチレンなどの柔らかい樹脂によって形成された袋状のケース本体およびカバーとを有してなるソフトケースにおいて、同じ樹脂によって形成された係止片と被係止部２４を備え、また、その係止片に、内側にスリット状の切欠部４４を設けるとともに当該切欠部４４の左右両側に突部４５を設け、当該係止片の突部４５を前記ケース本体の被係止部２４に挿入させた状態で前記突部４５を当該被係止部２４の縁部に係止させる。また、係止片の基端に把持部４２を設け、係止片を引き抜く際に係止片の溶着部分が外れないようにする。【選択図】図３
0003164176.tif 000002
【実用新案登録請求の範囲】
【請求項１】
袋状のケース本体と、当該ケース本体の収納部を覆うカバーとを有してなり、カバーに設けられた係止片をケース本体の被係止部に係止させるようにしたカバーの係止構造において、当該カバーの係止片に、
内側に中空状の切欠部を設けるとともに当該切欠部の左右両外側に突部を設け、当該係止片の突部を前記ケース本体の被係止部に挿入させて前記突部を当該被係止部の縁部に係止させるようにしたことを特徴とするカバーの係止構造。
【請求項２】
可撓性樹脂によって形成された袋状のケース本体と、可撓性樹脂によって形成され、当該ケース本体の収納部を覆うカバーとを有してなり、可撓性樹脂によって形成された係止片によってカバーをケース本体の被係止部に係止させるようにしたソフトケースのカバーの係止構造において、前記カバーの係止片に、
内側に中空状の切欠部を設けるとともに当該切欠部の左右両外側に突部を設け、当該係止片の突部を前記ケース本体の被係止部に挿入させて前記突部を当該被係止部の縁部に係止させるようにしたことを特徴とするカバーの係止構造。
【請求項３】
前記係止片をカバーの表面側に取り付けるとともに、前記被係止部へ挿入する側と反対側の端部を非接合状態として把持可能な把持部を形成するようにした請求項１または２に記載のカバーの係止構造。
【請求項４】
前記被係止部が、可撓性樹脂をリング状にして被係止部を形成し、前記係止片の先端部を被係止部の前方に露出させるようにしたものである請求項１または２に記載のカバーの係止構造。
【請求項５】
前記ケース本体とカバーと係止片を同一の可撓性樹脂で形成した請求項１または２に記載のカバーの係止構造。
【請求項６】
前記被係止部が、対向したフック部を有する起立係止部を設けて中央部分に溝部を形成して構成されたものである請求項１または２に記載のカバーの係止構造。
【考案の詳細な説明】
【技術分野】
【０００１】
本考案は、比較的柔らかい素材で構成された収納体を覆うカバーの係止構造に関するものである。
【背景技術】
【０００２】
近年では、歯ブラシやスイミング用ゴーグルなどのような比較的小さな物品を収納するケースとして、柔らかな合成樹脂で製造されたソフトケースなどの収納体が用いられるようになってきている。
【０００３】
このようなソフトケースの一般的な構造について図６を用いて説明する。図６（ａ）や図６（ｂ）において、２は、例えば、ポリエチレンやＥＶＡ樹脂などのように柔らかな合成樹脂によって形成されたケース本体であって、樹脂シートを溶着することによって内側に袋状の収納部を形成できるようにしたものである。また、３は、ケース本体２の開口部２３を覆うカバーであり、ケース本体２の樹脂シートと一体的に設けられるか、あるいは、ケース本体２と別体に設けて溶着されるものである。
【０００４】
ところで、このようなカバー３によってケース本体２の開口部２３を塞ぐ際、従来では、特許文献１や特許文献２などに示すように、プラスチック製の留め具５１や金属製金具などをカバー３やケース本体２に取り付け、それぞれを係止させるようにするか（図６（ａ））、あるいは、特許文献３などに示すように、カバー３とケース本体２に面ファスナー５２を対向させるように取り付けてカバー３を接合させるようにしている（図６（ｂ））。
【特許文献１】特開２００６−０６１２４６号公報
【特許文献２】特開２００１−１８０７７５号公報
【特許文献３】特開平８−３３１２２２号公報
【考案の開示】
【考案が解決しようとする課題】
【０００５】
しかしながら、上述のようにプラスチック製の留め具５１や金属製金具でカバーを係止する構造であると、留め具が比較的高価であるために、ソフトケース自体を安価に仕上げることができない。また、軟質な合成樹脂シートに硬質なプラスチック製の留め具や金属製金具を取り付けた場合は、取り付け部分の柔らかさに不連続性を生じ、樹脂シートが破れてしまうことがある。さらには、ソフトケースを焼却処分する場合、金属片が炉に残り、残渣を増やすことになりかねない。
【０００６】
一方、面ファスナー５２を用いてカバーを留めるようにした構造であると、比較的安価に係止部を構成することができるものの、面ファスナー５２をカバー３やケース本体２に溶着することができないために、縫製や接着剤によってしか取り付けることができない。このため、面ファスナー５２を取り付けるために多くの時間や手間がかかるばかりでなく、カバー３を開く際は、面ファスナー５２の先端部分に法線方向に向かった大きな荷重がかかり、面ファスナー５２の先端部分から破れてくることがある。また、面ファスナー５２を用いた場合、その面ファスナー５２における無数のフック状部分（図示せず）に髪の毛やゴミなどが絡み込んでしまい、不快感を与えてしまうことにもなりかねない。
【０００７】
そこで、本考案は上記課題に着目してなされたもので、比較的安価で、しかも、簡単な構成でカバーを係止させることができるカバーの係止構造を提供することを目的とする。
【課題を解決するための手段】
【０００８】
すなわち、本考案は上記課題を解決するために、袋状に形成されたケース本体と、当該ケース本体の収納部を覆うカバーとを有してなり、カバーに設けられた係止片をケース本体の被係止部に係止させるようにしたカバーの係止構造において、当該カバーに、内側に中空状の切欠部を設けるとともに当該切欠部の左右両外側に突部を設け、当該係止片の突部を前記ケース本体の被係止部に挿入させて前記突部を当該被係止部の縁部に係止させるようにしたものである。
【０００９】
そして、このような考案における一態様として、袋状のケース本体とカバーと係止片を可撓性樹脂によって形成し、その係止片に、内側に中空状の切欠部を設けるとともに当該切欠部の左右両外側に突部を設けるようにする。そして、その係止片の突部を前記ケース本体の被係止部に挿入させて前記突部を当該被係止部の縁部に係止させるようにする。
【００１０】
このように構成すれば、比較的安価に係止部を構成することができるとともに、中空状の切欠部によって左右両側に設けられた突部を内側に押し込んで係止片を被係止部に挿入させることができるため、係止部に無理な力をかけなくても容易に係止片を係止させることができるようになる。
【００１１】
また、このような考案において、係止片をカバーの表面側に取り付けるとともに、前記被係止部へ挿入する側と反対側の端部を非接合状態として把持可能な把持部を形成する。
【００１２】
このようにすれば、係止片を被係止部から引き抜く際に、把持部を摘んで引き抜くことができ、係止片とカバーとの溶着部分などに無理な負荷をかけることなく係止片を引き抜くことができる。これにより、係止片の溶着部分がケース本体から外れてしまうといった不具合を防止することができる。
【００１３】
さらに、被係止部を構成する場合、可撓性樹脂をリング状に形成した被係止部によって構成し、係止片の先端部をその被係止部の前方に露出させるようにする。
【００１４】
このように構成すれば、リング状の被係止部から係止片の突部を露出させているので、係止片を引き抜く際に、その露出した突部の両側を中空状の切欠部側に押し込んで係止状態を解除することができる。
【００１５】
加えて、これらのケース本体とカバーと係止片を同一の可撓性樹脂で形成する。
【００１６】
このようにすれば、各部の柔らかさに連続性を持たせることができ、不連続な硬い部分が生じて樹脂が破れてしまうなどといった不具合を防止することができるようになる。
【００１７】
また、被係止部に、対向したフック部を有する起立係止部を設け、これによって被係止部の中央部分に溝部を設けるようにする。
【００１８】
このようにすれば、係止片を溝部の上から挿入するように嵌め込むことができ、切欠部による弾性変形によって溝部への入り込みを容易にすることができるとともに、フック部によって上方への抜けを防止することができるようになる。
【考案の効果】
【００１９】
本考案では、袋状のケース本体と、当該ケース本体の収納部を覆うカバーとを有してなり、カバーに設けられた係止片をケース本体の被係止部に係止させるようにしたカバーの係止構造において、当該カバーの係止片に、内側に中空状の切欠部を設けるとともに当該切欠部の左右両外側に突部を設け、当該係止片の突部を前記ケース本体の被係止部に挿入させて前記突部を当該被係止部の縁部に係止させるようにしたので、比較的安価に係止部を形成することができるようになる。また、中空状の切欠部によって左右の突部を内側に移動させて被係止部に挿入させることができるため、被係止部に無理な力をかけなくても容易に係止片を係止させることができるようになる。
【考案を実施するための最良の形態】
【００２０】
以下、本考案の一実施の形態について図面を参照して説明する。図１は、本実施の形態におけるソフトケース１の外観斜視図を示したものであり、図２は、ソフトケース１の係止片４をケース本体２に係止させるための係止構造の拡大図を示したものである。また、図３は、その係止片４を被係止部２４の取り付けるための状態を示したものである。
【００２１】
本実施の形態におけるソフトケース１は、比較的柔らかな合成樹脂によって形成される袋状のケース本体２と、同じく、柔らかな合成樹脂によって形成されるカバー３とを備えてなり、ケース本体２の開口部２３をカバー３で覆えるようにしたものであって、そのカバー３の先端近傍に柔らかい合成樹脂製の係止片４を設けるとともに、ケース本体２にもその係止片４を係止させるための被係止部２４を設けるようにしたものである。そして、特徴的には、その係止片４の中央部にスリット状の切欠部４４を設けるとともに、その切欠部４４の左右両側に前記被係止部２４の幅よりも大きな突部４５を設け、切欠部４４の中空領域への弾性変形を許容して突部４５を被係止部２４の縁部２５に係止させるようにしたものである。以下、実施の形態におけるソフトケース１の構造について詳細に説明する。
【００２２】
まず、ケース本体２は、ポリエチレン樹脂や塩化ビニル、ＥＶＡ樹脂などのように比較的柔らかな樹脂シートを適宜の大きさや形状にカットして溶着することによって内側に収納部２１を形成できるようにしたもので、１枚の樹脂シートを巻き付けて両端を溶着することで収納部２１を形成するとともに、下方側の開口部分を内側に折り込んで底面部２２を形成する。なお、このケース本体２は、一枚の樹脂シートによって形成してもよく、あるいは、複数枚の樹脂シートを溶着させることによって形成してもよい。
【００２３】
一方、３は、このケース本体２と一体となるように設けられたカバーであり、収納部２１における上方の開口部２３を覆えるようにしたものである。このカバー３をケース本体２と一体形成する場合には、あらかじめ樹脂シートにカバー３となる部分や、収納部２１を形成する部分、底面部２２を形成する部分を設けてカットし、樹脂シートの両端辺を溶着して収納部２１を形成するとともに底面部２２を内側に折り込んで溶着する。これによりケース本体２とカバー３を一体形成する。また、このカバー３は、ケース本体２と別体に成形して後から溶着する場合は、平面状の樹脂シートの段階でケース本体２にカバー３を溶着し、その後、ケース本体２を袋状に溶着する。
【００２４】
このケース本体２の表面には、リング状の被係止部２４が設けられる。この被係止部２４は、ケース本体２と同じ樹脂シートを長方形状に切断し、これをループ状に巻き付けてケース本体２に溶着したもので、その被係止部２４にカバー３の係止片４を挿入できるようにしたものである。
【００２５】
一方、係止片４は、ケース本体２と同じ樹脂か、あるいは、同程度の柔らかさを有する樹脂によって形成されるもので、図２に示すように、縦長扁平状に構成された樹脂の中央部分に、縦長中空状の切欠部４４を形成するとともに、その切欠部４４を形成する樹脂の両外側に円弧状に膨らんだ突部４５を設けるようにしている。このとき、切欠部４４の幅や左右の突部４５の大きさは、左右の突部４５を切欠部４４側へ押し込んだ際に、少なくとも被係止部２４の内側リング状部分に収まるように設定される。そして、このように形成された係止片４は、カバー３の表面における先端部４１近傍に溶着され、また、その際、係止片４の基端側（挿入側を前端とする）を非溶着状態として自由に摘めるようにしておく。そして、その基端側を把持部４２とし、その把持部４２の表面もしくは裏面に凹凸４３を施し、容易に摘んで引き抜けるようにしている。
【００２６】
次に、このように構成されたソフトケース１のカバー３を係止させる方法、および解放させる方法について図３（ａ）から図３（ｃ）を用いて説明する。
【００２７】
まず、ソフトケース１のカバー３を閉めて係止片４を係止させる場合、図３（ａ）に示すように、係止片４の先端部４１を被係止部２４に挿入させる。このとき、係止片４の左右両外側の突部４５を指で内側（切欠部４４側）へ押し込み、さらに、把持部４２を持って前方へ押し込んでいく。そして、完全に先端部４１分を被係止部２４から露出させるように押し込み、係止片４の突部４５を被係止部２４の縁部２５に当接させたことを確認して係止片４を係止させる（図３（ｂ））。これにより、係止片４の突部４５が被係止部２４の縁部２５に当接した状態となっているため、強制的に引き抜こうとしない限り容易に係止片４が被係止部２４から抜けるようなことがない。
【００２８】
次に、係止片４を被係止部２４から引き抜く際には（図３（ｃ））、今後は逆に、被係止部２４の先端から露出している突部４５を両外側から指で内側へ押し込んで切欠部４４を密着させ、この状態で係止片４の把持部４２を摘んで引っ張る。このとき、突部４５の内側には中空状の切欠部４４が設けられているため、係止片４を強く変形させなくても容易に突部４５を内側へ押し込んで変形させることができるようになる。また、通常であれば、カバー３を引っ張って係止片４を引き抜く方法が採用されるが、この通常の方法であると、係止片４の溶着部分に過度な力が加わって溶着部分が外れたり、溶着部分の周囲が破れたりすることがある。これに対して、上述のように、把持部４２を設けると、把持部４２を摘んで引っ張ることにより、カバー３との溶着部分に大きな負荷が加わることがなくなり、溶着状態を長持ちさせることができる。
【００２９】
＜第二の実施の形態＞
次に、第二の実施の形態における係止構造について図４や図５を用いて説明する。上記実施の形態では、切欠部４４を有する係止片４をリング状の被係止部２４に挿入して係止させるようにしているが、この第二の実施の形態では、係止片４を被係止部２４の上から嵌め込むようにして係止できるようにしている。以下、図４および図５を用いて第二の実施の形態における係止構造について詳細に説明する。なお、説明において、第一の実施の形態と同じ構造を有するものは、同じ符号を付して説明する。
【００３０】
まず、係止片４は、ケース本体２と同じ樹脂か、あるいは、同程度の柔らかさを有する樹脂によって形成され、縦長扁平状に構成された樹脂の中央部分に、縦長中空状の切欠部４４を形成するとともに、その切欠部４４を形成する樹脂の両外側に円弧状に膨らんだ突部４５を設けている。また、この係止片４における先端部には、指を掛けられるようにしたループ状の指穴４６を有する把持部４６０を設けており、この指穴４６に指を掛けて係止片４を前後上下に移動させられるようにしている。そして、このように形成された係止片４の基端部をカバー３の先端近傍に溶着して取り付け、その係止片４に設けられた突部４５をカバー３と把持部４６０の中央部分に位置させるようにしている。また、この実施の形態では、係止片４における突部４５の基端側を基端側片４７２とし、また、突部４５の先端側を先端側片４７１とした場合、先端側片４７１の横幅を基端側片４７２の横幅よりも小さくなるように設定している。図においては、先端側片４７１の横幅をＡ、基端側片４７２の横幅をＢ（Ａ＜Ｂ）と設定している。
【００３１】
一方、被係止部２４は、ケース本体２と同じ樹脂か、あるいは、若干固い樹脂によって形成されるもので、ケース本体２に溶着されるベース部２６と、先端部分の内側に対向したフック部２８を有する起立係止部２７を設けて構成される。そして、起立係止部２７間の中央部分に溝部２９を形成して、係止片４を上から挿入できるようにしている。このフック部２８は、対向するフック部２８との間を、前記係止片４の先端側片の横幅とほぼ同じ隙間幅Ａとし、また、起立係止部２７の下方の隙間を係止片の基端側片と同じ隙間幅Ｂに設定している。そして、最終的に、係止片４における基端側片４７２（幅Ｂの部分）を起立係止部２７に嵌め込ませることによって上下方向への抜けを防止するとともに、突部４５によっても前後方向へ抜けを防止できるようにしている。
【００３２】
次に、このように構成された係止片４や被係止部２４を用いてカバー３を閉じる場合の動作について説明する。
【００３３】
まず、カバー３をケース本体２に係止させる場合、係止片４の指穴４６に指を掛けた状態で、係止片４の先端側片（幅Ａを有する部分）を被係止部２４の溝部２９に上に位置させ、この状態で把持部４６０を下げることによって先端側片４７１を溝部２９におけるフック部２８の間に挿入させる（図５）。そして、この状態で、把持部４６０を前方へ引っ張り、係止片４の突部４５を起立係止部２７の間に引き込ませる。このとき、係止片４には中空状の切欠部４４が設けられているため、突部４５を中空部分に押し込むことができ、容易に突部４５を起立係止部２７の内側に通すことができる。そして、さらに、突部４５を起立係止部２７の前方へ引き込むことによって、係止片４における基端側片４７２を溝部２９に嵌め込ませる。これによって上下方向への抜けと前後方向への抜けを防止できるようにする。
【００３４】
このように、上記実施の形態によれば、ポリエチレン樹脂やＥＶＡ樹脂などのように比較的柔らかい樹脂によって形成された袋状のケース本体２とカバー３とを有し、同じく柔らかい合成樹脂によって形成された係止片４と被係止部２４を設けて成るソフトケース１において、係止片４に、内側に中空状の切欠部４４を設けるとともに当該切欠部４４の左右両外側に突部４５を設けるようにしたので、係止片４の突部４５をケース本体２の被係止部２４に挿入させて係止させることができる。これにより、比較的安価に係止部を構成することができる。また、中空状の切欠部４４によって左右の突部４５を内側に移動させて被係止部２４に挿入させることができるため、被係止部２４に無理な負荷をかけなくても容易に係止片４を係止させることができる。
【００３５】
また、この係止片４の基端側を非接合状態として自由に把持できるようにしたので、係止片４を被係止部２４から引き抜く際に、この把持部４２を摘んで簡単に引き抜くことができるようになる。また、係止片４と一体的に設けられた把持部４２を摘んで引っ張ることができるので、係止片４とカバー３との溶着部分が外れてしまうなどといった不具合をなくすことができる。
【００３６】
さらに、被係止部２４を構成する場合、可撓性樹脂をリング状に形成することによって係止片４の先端を露出させるようにしたので、係止片４を引き抜く際に、その露出した突部４５を両側から内側に押し込んで係止状態を解除することができる。
【００３７】
加えて、これらのケース本体２とカバー３と係止片４を同一の可撓性樹脂で形成したので、各部の柔らかさに連続性を持たせることができ、柔らかさの不連続部分における破れなどを防止することができるようになる。
【００３８】
なお、本考案は上記実施の形態に限定されることなく、種々の態様で実施することができる。
【００３９】
例えば、上記実施の形態では、ケース本体２の係止片４に把持部４２を設けるようにしているが、この把持部４２を設けないようにすることもできる。
【００４０】
また、この実施の形態では、係止片４の突部４５として、円弧状に突出した突部４５を図示しているが、種々の形状の突部４５を設けることができる。例えば、突部４５を矢羽根形状にしてもよい。さらに、この係止片４の数については１カ所だけでなく、複数箇所設けることもできる。
【００４１】
さらに、この実施の形態において切欠部４４を設ける場合、縦長中空状の切欠部４４を設けるようにしているが、縦長中空状の切欠部４４に限らず、円形や四角形状の孔部などによって切欠部４４を設けるようにしてもよい。すなわち、突部４５を内側に押し込んで合成樹脂を容易に変形させることができるような形状であればどのような形状であってもよい。
【００４２】
また、この実施の形態では、ケース本体２やカバー３、係止片４、被係止部２４をすべて同じ合成樹脂で形成するようにしているが、これらを異なる素材（合成樹脂以外の素材も含む）で構成するようにしてもよい。例えば、この考案の係止構造を鞄などに適用する場合には、皮などによってケース本体２やカバー３、あるいは、係止片４などを構成することもできる。
【図面の簡単な説明】
【００４３】
【図１】本考案の一実施の形態におけるソフトケースの外観斜視図
【図２】同形態における係止構造の拡大図
【図３】同形態における係止片の係止と解除を示す図
【図４】本考案の第二の実施の形態におけるソフトケースの係止構造を示す図
【図５】本考案の第二の実施の形態におけるソフトケースの係止構造を示す図
【図６】従来例におけるソフトケースの係止構造を示す図
【符号の説明】
【００４４】
１・・・ソフトケース
２・・・ケース本体
２１・・・収納部
２２・・・底面部
２３・・・開口部
２４・・・被係止部
２５・・・縁部
２６・・・ベース部
２７・・・起立係止部
２８・・・フック部
２９・・・溝部
３・・・カバー
４・・・係止片
４１・・・先端部
４２・・・把持部
４３・・・凹凸
４４・・・切欠部
４５・・・突部
４６・・・指穴
４６０・・・把持部
４７１・・・先端側片
４７２・・・基端側片
【図１】
0003164176.tif 000003
【図２】
0003164176.tif 000004
【図３】
0003164176.tif 000005
【図４】
0003164176.tif 000006
【図５】
0003164176.tif 000007
【図６】
0003164176.tif 000008